(57)【要約】【課題】  全チャンネル数分のアンプを設ける必要なく、左上側音声信号ＬＨ、右上側音声信号ＲＨ、左外側音声信号ＬＷ、右外側音声信号ＲＷ等の音声信号を増幅して、これらのチャンネルに対応するスピーカー端子から出力する。【解決手段】  左外側音声信号ＬＷと右外側音声信号ＲＷとの組合せが含まれている場合、スイッチＳ１１ｃ、Ｓ１１ｆ、Ｓ１３ｅ、Ｓ１３ｆをオン状態にすることにより、アンプ１２ａが、左外側音声信号ＬＷを増幅し、ＳＰ端子１４ａに供給し、アンプ１２ｂが、右外側音声信号ＲＷを増幅し、ＳＰ端子１４ｂに供給する。左上側音声信号ＬＨと右上側音声信号ＲＨとの組合せが含まれている場合、スイッチＳ１１ｂ、Ｓ１１ｅ、Ｓ１３ｃ、Ｓ１３ｄをオン状態にすることにより、アンプ１２が、左上側音声信号ＲＨを増幅し、ＳＰ端子１４ｃに供給し、アンプ１２ｂが、右上側音声信号ＲＨを増幅し、ＳＰ端子１４ｄに供給する。【選択図】図４
2010183203.tif 000002
【特許請求の範囲】
【請求項１】
左外側音声信号又は左上側音声信号を増幅する第１増幅手段と、
右外側音声信号又は右上側音声信号を増幅する第２増幅手段と、
左外側音声信号を出力する第１スピーカー端子と、
右外側音声信号を出力する第２スピーカー端子と、
左上側音声信号を出力する第３スピーカー端子と、
右上側音声信号を出力する第４スピーカー端子と、
マルチチャンネル音声データに、左外側音声信号と右外側音声信号との組合せ、又は、左上側音声信号と右上側音声信号との組合せのどちらが含まれているかを判断するチャンネル判断手段と、
左外側音声信号と右外側音声信号との組合せが含まれていると判断された場合、前記第１増幅手段に、左外側音声信号を増幅させ前記第１スピーカー端子に供給させ、かつ、前記第２増幅手段に、右外側音声信号を増幅させ前記第２スピーカー端子に供給させ、左上側音声信号と右上側音声信号との組合せが含まれていると判断された場合、前記第１増幅手段に、左上側音声信号を増幅させ前記第３スピーカー端子に供給させ、かつ、前記第２増幅手段に、右上側音声信号を増幅させ前記第４スピーカー端子に供給させる切換手段とを備える、音声処理装置。
【請求項２】
サラウンド後方左音声信号を出力する第５スピーカー端子と、
サラウンド後方右音声信号を出力する第６スピーカー端子とをさらに備え、
前記チャンネル判断手段が、マルチチャンネル音声データに、左外側音声信号と右外側音声信号との組合せ、左上側音声信号と右上側音声信号との組合せ、又は、サラウンド後方左音声信号とサラウンド後方右音声信号との組合せのいずれが含まれているかを判断し、
前記切換手段が、左外側音声信号と右外側音声信号との組合せが含まれていると判断された場合、前記第１増幅手段に、左外側音声信号を増幅させ前記第１スピーカー端子に供給させ、かつ、前記第２増幅手段に、右外側音声信号を増幅させ前記第２スピーカー端子に供給させ、左上側音声信号と右上側音声信号との組合せが含まれていると判断された場合、前記第１増幅手段に、左上側音声信号を増幅させ前記第３スピーカー端子に供給させ、かつ、前記第２増幅手段に、右上側音声信号を増幅させ前記第４スピーカー端子に供給させ、サラウンド後方左音声信号とサラウンド後方右音声信号との組合せが含まれていると判断された場合、前記第１増幅手段に、サラウンド後方左音声信号を増幅させ前記第５スピーカー端子に供給させ、かつ、前記第２増幅手段に、サラウンド後方右音声信号を増幅させ前記第６スピーカー端子に供給させる、請求項１に記載の音声処理装置。
【請求項３】
第１左音声信号又は第２左音声信号を増幅する第１増幅手段と、
第１右音声信号又は第２右音声信号を増幅する第２増幅手段と、
第１左音声信号を出力する第１スピーカー端子と、
第１右音声信号を出力する第２スピーカー端子と、
第２左音声信号を出力する第３スピーカー端子と、
第２右音声信号を出力する第４スピーカー端子と、
マルチチャンネル音声データに、第１左音声信号と第１右音声信号との組合せ、又は、第２左音声信号と第２右音声信号との組合せのどちらが含まれているかを判断するチャンネル判断手段と、
第１左音声信号と第１右音声信号との組合せが含まれていると判断された場合、前記第１増幅手段に、第１左音声信号を増幅させ前記第１スピーカー端子に供給させ、かつ、前記第２増幅手段に、第１右音声信号を増幅させ前記第２スピーカー端子に供給させ、第２左音声信号と第２右音声信号との組合せが含まれていると判断された場合、前記第１増幅手段に、第２左音声信号を増幅させ前記第３スピーカー端子に供給させ、かつ、前記第２増幅手段に、第２右音声信号を増幅させ前記第４スピーカー端子に供給させる切換手段とを備える、音声処理装置。
【発明の詳細な説明】
【技術分野】
【０００１】
本発明は、左上側音声信号、右上側音声信号、左外側音声信号及び右外側音声信号を含むマルチチャンネル音声データを再生する音声処理装置に関する。
【背景技術】
【０００２】
ＢＤプレーヤと、ＡＶアンプと、ディスプレイ装置とを備える音声再生システムが利用されている。ＢＤプレーヤからＡＶアンプに送信される音声データは、マルチチャンネル音声データがエンコードされたものである。例えば、マルチチャンネル音声データは、図３に示すように、左音声信号Ｌ、右音声信号Ｒ、中央音声信号Ｃ、低域音声信号ＳＷ、サラウンド左音声信号ＳＬ、サラウンド右音声信号ＳＲ、サラウンド後方左音声信号ＳＢＬ、サラウンド後方右音声信号ＳＢＲを含む。また、最近では、Dolby True HD、Dolby Digital
Plus、DTS-HD等のＨＤ（High Definition）関連の音声フォーマットが登場してきており、これらのフォーマットにおいては、左上側音声信号ＬＨ、右上側音声信号ＲＨ、左外側音声信号ＬＷ、右外側音声信号ＲＷがさらに追加されている。
【０００３】
しかし、これらの全てのチャンネルの音声信号に対応するアンプをＡＶアンプに設けると、合計１１．１ｃｈ分のアンプを設けることになるので、コストが非常に高くなってしまう。
【先行技術文献】
【特許文献】
【０００４】
【特許文献１】特開２００７−１５８５６１号公報
【発明の概要】
【発明が解決しようとする課題】
【０００５】
本発明は上記従来の課題を解決するためになされたものであり、その目的は、全チャンネル数分のアンプを設ける必要なく、左上側音声信号ＬＨ、右上側音声信号ＲＨ、左外側音声信号ＬＷ、右外側音声信号ＲＷ等の音声信号を増幅して、これらのチャンネルに対応するスピーカー端子から出力することができる音声処理装置を提供することである。
【課題を解決するための手段】
【０００６】
本発明の好ましい実施形態による音声処理装置は、左外側音声信号又は左上側音声信号を増幅する第１増幅手段と、右外側音声信号又は右上側音声信号を増幅する第２増幅手段と、左外側音声信号を出力する第１スピーカー端子と、右外側音声信号を出力する第２スピーカー端子と、左上側音声信号を出力する第３スピーカー端子と、右上側音声信号を出力する第４スピーカー端子と、マルチチャンネル音声データに、左外側音声信号と右外側音声信号との組合せ、又は、左上側音声信号と右上側音声信号との組合せのどちらが含まれているかを判断するチャンネル判断手段と、左外側音声信号と右外側音声信号との組合せが含まれていると判断された場合、前記第１増幅手段に、左外側音声信号を増幅させ前記第１スピーカー端子に供給させ、かつ、前記第２増幅手段に、右外側音声信号を増幅させ前記第２スピーカー端子に供給させ、左上側音声信号と右上側音声信号との組合せが含まれていると判断された場合、前記第１増幅手段に、左上側音声信号を増幅させ前記第３スピーカー端子に供給させ、かつ、前記第２増幅手段に、右上側音声信号を増幅させ前記第４スピーカー端子に供給させる切換手段とを備える。
【０００７】
マルチチャンネル音声データにどのチャンネルの組合せが含まれているかを判別し、含まれているチャンネルの組合せを第１増幅手段及び第２増幅手段に増幅させることにより、２つの増幅手段を備えるだけで、左外側音声信号と右外側音声信号との組合せ、又は、左上側音声信号と右上側音声信号との組合せを増幅して、これらのチャンネルに対応するスピーカー端子に出力することができる。
【０００８】
好ましい実施形態においては、サラウンド後方左音声信号を出力する第５スピーカー端子と、サラウンド後方右音声信号を出力する第６スピーカー端子とをさらに備え、前記チャンネル判断手段が、マルチチャンネル音声データに、左外側音声信号と右外側音声信号との組合せ、左上側音声信号と右上側音声信号との組合せ、又は、サラウンド後方左音声信号とサラウンド後方右音声信号との組合せのいずれが含まれているかを判断し、前記切換手段が、左外側音声信号と右外側音声信号との組合せが含まれていると判断された場合、前記第１増幅手段に、左外側音声信号を増幅させ前記第１スピーカー端子に供給させ、かつ、前記第２増幅手段に、右外側音声信号を増幅させ前記第２スピーカー端子に供給させ、左上側音声信号と右上側音声信号との組合せが含まれていると判断された場合、前記第１増幅手段に、左上側音声信号を増幅させ前記第３スピーカー端子に供給させ、かつ、前記第２増幅手段に、右上側音声信号を増幅させ前記第４スピーカー端子に供給させ、サラウンド後方左音声信号とサラウンド後方右音声信号との組合せが含まれていると判断された場合、前記第１増幅手段に、サラウンド後方左音声信号を増幅させ前記第５スピーカー端子に供給させ、かつ、前記第２増幅手段に、サラウンド後方右音声信号を増幅させ前記第６スピーカー端子に供給させる。
【０００９】
マルチチャンネル音声データにどのチャンネルの組合せが含まれているかを判別し、含まれているチャンネルの組合せを第１増幅手段及び第２増幅手段に増幅させることにより、２つの増幅手段を備えるだけで、左外側音声信号と右外側音声信号との組合せ、左上側音声信号と右上側音声信号との組合せ、又は、サラウンド後方左音声信号とサラウンド後方右音声信号との組合せを増幅して、これらのチャンネルに対応するスピーカー端子に出力することができる。
【００１０】
本発明の別の好ましい実施形態による音声処理装置は、第１左音声信号又は第２左音声信号を増幅する第１増幅手段と、第１右音声信号又は第２右音声信号を増幅する第２増幅手段と、第１左音声信号を出力する第１スピーカー端子と、第１右音声信号を出力する第２スピーカー端子と、第２左音声信号を出力する第３スピーカー端子と、第２右音声信号を出力する第４スピーカー端子と、マルチチャンネル音声データに、第１左音声信号と第１右音声信号との組合せ、又は、第２左音声信号と第２右音声信号との組合せのどちらが含まれているかを判断するチャンネル判断手段と、第１左音声信号と第１右音声信号との組合せが含まれていると判断された場合、前記第１増幅手段に、第１左音声信号を増幅させ前記第１スピーカー端子に供給させ、かつ、前記第２増幅手段に、第１右音声信号を増幅させ前記第２スピーカー端子に供給させ、第２左音声信号と第２右音声信号との組合せが含まれていると判断された場合、前記第１増幅手段に、第２左音声信号を増幅させ前記第３スピーカー端子に供給させ、かつ、前記第２増幅手段に、第２右音声信号を増幅させ前記第４スピーカー端子に供給させる切換手段とを備える。
【発明の効果】
【００１１】
全チャンネル数分のアンプを設ける必要なく、左上側音声信号、右上側音声信号、左外側音声信号、右外側音声信号を増幅して、これらのチャンネルに対応するスピーカー端子から出力することができる。
【発明を実施するための形態】
【００１２】
以下、本発明の好ましい実施形態によるディスク再生装置（以下、ＢＤプレーヤという。）、音声処理装置（以下、ＡＶアンプという。）及びディスプレイ装置を備える音声再生システムついて、図面を参照して具体的に説明するが、本発明はこれらの実施形態には限定されない。
【００１３】
図１は、ＡＶアンプ１、及び、各スピーカーの配置の一例を説明する図である。ＡＶアンプ１には、左スピーカーＳＬ、右スピーカーＳＲ、中央スピーカーＳＣ、低域スピーカーＳＳＷ、サラウンド左スピーカーＳＳＬ、サラウンド右スピーカーＳＳＲ、サラウンド後方左スピーカーＳＳＢＬ、サラウンド後方右スピーカーＳＳＢＲ、左上側スピーカーＳＬＨ、右上側スピーカーＳＲＨ、左外側スピーカーＳＬＷ、右外側スピーカーＳＲＷが接続されている。
【００１４】
図２は、音声再生システムの構成を示すブロック図である。ＢＤプレーヤ１００、ＡＶアンプ１及びディスプレイ装置２００は、例えばＨＤＭＩ規格に準拠し、ＨＤＭＩケーブルを介して相互に接続されている。ＢＤプレーヤ１００は、マルチチャンネル音声データ及び映像データを含むＨＤＭＩデータをＡＶアンプ１に送信する。ＡＶアンプ１は、ＢＤプレーヤ１００から受信したＨＤＭＩデータに含まれるマルチチャンネル音声データを増幅してスピーカーに出力する。また、ＡＶアンプ１は、映像データを含むＨＤＭＩデータをディスプレイ装置２００に送信する。ディスプレイ装置２００は、ＡＶアンプ１から受信したＨＤＭＩデータに含まれる映像データを表示する。
【００１５】
ＡＶアンプ１は、制御部２と、ＨＤＭＩ受信部３と、ＨＤＭＩ送信部４と、音声処理部５と、操作部６と、表示部７と、ＨＤＭＩ端子８，９とを有している。ＡＶアンプ１には、スピーカー３００（図１の各スピーカーに相当）が接続されている。
【００１６】
ＨＤＭＩ受信部３は、ＢＤプレーヤ１００から送信されたＨＤＭＩデータを受信して、受信したＨＤＭＩデータから元の映像データを生成し、ＨＤＭＩ送信部４に供給する。また、ＨＤＭＩ受信部３は、受信したＨＤＭＩデータから元のマルチチャンネル音声データを生成して、音声処理部５に供給する。
【００１７】
音声処理部５は、ＨＤＭＩ受信部３から供給されたマルチチャンネル音声データをデコードし、音響処理、Ｄ／Ａ変換処理、ボリューム調整処理、増幅処理等の各処理を実行し、スピーカー３００に各チャンネルの音声信号を供給する。
【００１８】
音声処理部５に供給されるマルチチャンネル音声データについて説明する。Dolby True HD、Dolby Digital
Plus、DTS-HD等のＨＤ（High Definition）関連の音声フォーマットにおいては、図３に示すように、例えば、左音声信号Ｌ（前方左音声信号）、右音声信号Ｒ（前方右音声信号）、中央音声信号Ｃ、低域音声信号ＳＷ、サラウンド左音声信号ＳＬ、サラウンド右音声信号ＳＲ、サラウンド後方左音声信号ＳＢＬ、サラウンド後方右音声信号ＳＢＲ、左外側音声信号ＬＷ（第１左音声信号）、右外側音声信号ＲＷ（第１右音声信号）、左上側音声信号ＬＨ（第２左音声信号）、右上側音声信号ＲＨ（第２右音声信号）等が含まれる。
【００１９】
左上側音声信号ＬＨは、左音声信号Ｌの上側の位置（つまりユーザの前方左上側）から再生される音声信号である。右上側音声信号ＲＨは、右音声信号Ｒの上側の位置（つまりユーザの前方右上側）から再生される音声信号である。左外側音声信号ＬＷは、左音声信号Ｌの外側（左側）の位置（つまりユーザの前方左外側）から再生される音声信号である。右外側音声信号ＲＷは、右音声信号Ｒの外側（右）の位置（つまりユーザの前方右外側）から再生される音声信号である。
【００２０】
図４は、音声処理部５の要部を示すブロック図である。音声処理部５は、プリアウト部１１と、パワーアンプ１２と、ＳＰ（スピーカー）リレー１３と、ＳＰ（スピーカー）端子１４とを有する。図４においては、基本の５．１ｃｈ分（左音声信号Ｌ、右音声信号Ｒ、中央音声信号Ｃ、低域音声信号ＳＷ、サラウンド左音声信号ＳＬ、サラウンド右音声信号ＳＲ）に関する各回路については従来と同じであるので省略している。また、プリアウト部１１の前段に設けられるＤＳＰ等についても省略している。
【００２１】
ＤＳＰは、ＨＤＭＩ受信部３から供給されるマルチチャンネル音声データをデコード及びＤ／Ａ変換し、各チャンネルの音声信号を生成する。生成された音声信号は、プリアウト部１１に供給される。
【００２２】
プリアウト部１１は、スイッチＳ１１ａ〜Ｓ１１ｆを有する。スイッチＳ１１ａは、サラウンド後方左音声信号ＳＢＬをアンプ１２ａに出力するか否かを切り換える。スイッチＳ１１ｂは、左上側音声信号ＬＨをアンプ１２ａに出力するか否かを切り換える。スイッチＳ１１ｃは、左外側音声信号ＬＷをアンプ１２ａに出力するか否かを切り換える。スイッチＳ１１ａ〜Ｓ１１ｃの内、いずれか１つのスイッチがオン状態とされ、サラウンド後方左音声信号ＳＢＬ、左上側音声信号ＬＨ、左外側音声信号ＬＷのいずれか１つの音声信号がアンプ１２ａに供給される。
【００２３】
スイッチＳ１１ｄは、サラウンド後方右音声信号ＳＢＲをアンプ１２ｂに出力するか否かを切り換える。スイッチＳ１１ｅは、右上側音声信号ＲＨをアンプ１２ｂに出力するか否かを切り換える。スイッチＳ１１ｆは、右外側音声信号ＲＷをアンプ１２ｂに出力するか否かを切り換える。スイッチＳ１１ｄ〜Ｓ１１ｆの内、いずれか１つのスイッチがオン状態とされ、サラウンド後方右音声信号ＳＢＲ、右上側音声信号ＲＨ、及び、右外側音声信号ＲＷのいずれか１つの音声信号がアンプ１２ｂに供給される。
【００２４】
パワーアンプ１２は、アンプ１２ａ及び１２ｂを有する。アンプ１２ａは、入力されるサラウンド後方左音声信号ＳＢＬ、左上側音声信号ＬＨ、又は、左外側音声信号ＬＷを増幅してＳＰリレー１３（スイッチＳ１３ａ、Ｓ１３ｃ、Ｓ１３ｅ）に供給する。アンプ１２ｂは、入力されるサラウンド後方右音声信号ＳＢＲ、右上側音声信号ＲＨ、又は、右外側音声信号ＲＷを増幅してＳＰリレー１３（スイッチＳ１３ｂ、Ｓ１３ｄ、Ｓ１３ｆ）に供給する。
【００２５】
ＳＰリレー１３は、リレースイッチ（以下スイッチという。）Ｓ１３ａ〜Ｓ１３ｆを有する。スイッチＳ１３ａは、アンプ１２ａから入力されるサラウンド後方左音声信号ＳＢＬを、サラウンド後方左ＳＰ端子１４ａに供給するか否かを切り換える。スイッチＳ１３ａは、スイッチＳ１１ａがオン状態のときにオン状態にされる。スイッチＳ１３ｃは、アンプ１２ａから入力される左上側音声信号ＬＨを、左上側ＳＰ端子１４ｃに供給するか否かを切り換える。スイッチＳ１３ｃは、スイッチＳ１１ｂがオン状態のときにオン状態にされる。スイッチＳ１３ｅは、アンプ１２ａから入力される左外側音声信号ＬＷを、左外側ＳＰ端子１４ｅに供給するか否かを切り換える。スイッチＳ１３ｅは、スイッチＳ１１ｃがオン状態のときにオン状態にされる。
【００２６】
スイッチＳ１３ｂは、アンプ１２ｂから入力されるサラウンド後方右音声信号ＳＢＲを、サラウンド後方右ＳＰ端子１４ｂに供給するか否かを切り換える。スイッチＳ１３ｂは、スイッチＳ１１ｄがオン状態のときにオン状態にされる。スイッチＳ１３ｄは、アンプ１２ｂから入力される右上側音声信号ＲＨを、右上側ＳＰ端子１４ｄに供給するか否かを切り換える。スイッチＳ１３ｄは、スイッチＳ１１ｅがオン状態のときにオン状態にされる。スイッチＳ１３ｆは、アンプ１２ｂから入力される右外側音声信号ＲＷを、右外側ＳＰ端子１４ｆに供給するか否かを切り換える。スイッチＳ１３ｆは、スイッチＳ１１ｆがオン状態のときにオン状態にされる。
【００２７】
ＳＰ端子１４は、ＳＰ端子１４ａ〜１４ｆを有する。サラウンド後方左ＳＰ端子１４ａにはサラウンド後方左スピーカーＳＳＢＬが接続され、サラウンド後方右ＳＰ端子１４ｂにはサラウンド後方右スピーカーＳＳＢＲが接続され、左上側ＳＰ端子１４ｃには左上側スピーカーＳＬＨが接続され、右上側ＳＰ端子１４ｄには右上側スピーカーＳＲＨが接続され、左外側ＳＰ端子１４ｅには左外側スピーカーＳＬＷが接続され、右外側ＳＰ端子１４ｆには右外側スピーカーＳＲＷが接続される。
【００２８】
図２に戻り、ＨＤＭＩ送信部４は、ＨＤＭＩ受信部３から供給された映像データを、ＨＤＭＩデータに変換し、ディスプレイ装置２００に送信する。
【００２９】
制御部２は、内蔵又は接続された図示しないメモリに記憶されているＡＶアンプの動作プログラムに基づいて、各部を制御するものであり、例えば、マイクロコンピュータやＣＰＵ等である。
【００３０】
制御部２は、スイッチＳ１１ａ〜Ｓ１１ｆ、Ｓ１３ａ〜Ｓ１３ｆを切換制御する（詳細は後述する）。
【００３１】
表示部７は、ＳＰ端子１４ａ〜１４ｆ、及び、ＳＰ端子に割り当てられている音声信号のチャンネル及び機能を示す画像を表示する（詳細は後述する）。
【００３２】
図５は、制御部２の処理を示すフローチャートである。ＨＤＭＩ受信部３は、ＨＤＭＩデータから元のマルチチャンネル音声データを生成し、音声処理部５に供給する。音声処理部５は、マルチチャンネル音声データをデコードし、その情報領域に含まれているチャンネル情報を読み出して、制御部２に供給する。
【００３３】
制御部２は、ユーザ操作によって選択されているリスニングモードによって、サラウンド後方左音声信号ＳＢＬとサラウンド後方右音声信号ＳＢＲとの組合せ、左上側音声信号ＬＨと右上側音声信号ＲＨとの組合せ、左外側音声信号ＬＷと右外側音声信号ＲＷとの組合せの内、どの組合せをＳＰ端子に供給するかが一意に決定されるか否かを判断する（Ｓ１）。決定される場合（Ｓ１でＹＥＳ）、決定される組合せがＳＰ端子に供給されるように、スイッチＳ１１ａ〜Ｓ１１ｆ、Ｓ１３ａ〜Ｓ１３ｆを制御する（Ｓ２）。
【００３４】
決定されない場合（Ｓ１でＮＯ）、制御部２は、ユーザ操作によって選択されたリスニングモードでは、ＳＰ端子に供給するチャンネルの組合せがユーザ操作によって決定されるか否かを判断する（Ｓ３）。決定される場合（Ｓ３でＹＥＳ）、決定されるチャンネルの組合せがＳＰ端子に供給されるように、スイッチＳ１１ａ〜Ｓ１１ｆ、Ｓ１３ａ〜Ｓ１３ｆを制御する（Ｓ４、Ｓ５、Ｓ８〜Ｓ１０）。
【００３５】
決定されない場合（Ｓ３でＮＯ）、制御部２は、音声処理部５から供給されるマルチチャンネル音声データに含まれる入力信号のチャンネル情報に基づいて、サラウンド後方左音声信号ＳＢＬとサラウンド後方右音声信号ＳＢＲとの組合せ、左上側音声信号ＬＨと右上側音声信号ＲＨとの組合せ、左外側音声信号ＬＷと右外側音声信号ＲＷとの組合せのいずれが含まれているかを判断する（Ｓ６、Ｓ７、Ｓ１１）。
【００３６】
制御部２は、マルチチャンネル音声データに左外側音声信号ＬＷと右外側音声信号ＲＷとの組合せが含まれている場合（Ｓ６でＹＥＳ）、左外側音声信号ＬＷを左外側ＳＰ端子１４ｅに供給し、右外側音声信号ＲＷを右外側ＳＰ端子１４ｆに供給するように、各スイッチを制御する（Ｓ８）。すなわち、制御部２は、スイッチＳ１１ｃ、Ｓ１１ｆ、Ｓ１３ｅ及びＳ１３ｆをオン状態に、その他のスイッチをオフ状態に制御する。
【００３７】
制御部２は、マルチチャンネル音声データに左上側音声信号ＬＨと右上側音声信号ＲＨとの組合せが含まれている場合（Ｓ６でＮＯ，Ｓ７でＹＥＳ）、左上側音声信号ＬＨを左上側ＳＰ端子１４ｃに供給し、右上側音声信号ＲＨを右上側ＳＰ端子１４ｄに供給するように、各スイッチを制御する（Ｓ９）。すなわち、制御部２は、スイッチＳ１１ｂ、Ｓ１１ｅ、Ｓ１３ｃ及びＳ１３ｄをオン状態に、その他のスイッチをオフ状態に制御する。
【００３８】
制御部２は、マルチチャンネル音声データにサラウンド後方左音声信号ＳＢＬとサラウンド後方右音声信号ＳＢＲとの組合せが含まれている場合（Ｓ６でＮＯ，Ｓ７でＮＯ，Ｓ１１でＹＥＳ）、サラウンド後方左音声信号ＳＢＬをサラウンド後方左ＳＰ端子１４ａに供給し、サラウンド後方右音声信号ＳＢＲをサラウンド後方右ＳＰ端子１４ｂに供給するように、スイッチを制御する（Ｓ１０）。すなわち、制御部２は、スイッチＳ１１ａ、Ｓ１１ｄ、Ｓ１３ａ及びＳ１３ｂをオン状態に、その他のスイッチをオフ状態に制御する。
【００３９】
制御部２は、マルチチャンネル音声データに、左外側音声信号ＬＷと右外側音声信号ＲＷとの組合せ、左上側音声信号ＬＨと右上側音声信号ＲＨとの組合せ、及び、サラウンド後方左音声信号ＳＢＬとサラウンド後方右音声信号ＳＢＲとの組合せのいずれも含まれていない場合（Ｓ１１でＮＯ）、これらすべてのチャンネルの音声信号をＳＰ端子に供給しないように、スイッチを制御する（Ｓ１２）。すなわち、制御部２は、全てのスイッチをオフ状態に制御する。
【００４０】
以上のように、２つのアンプ１２ａ及び１２ｂを備えるだけで、入力されるマルチチャンネル音声データに含まれるチャンネル情報を判別し各スイッチを切り換えることにより、サラウンド後方左音声信号ＳＢＬとサラウンド後方右音声信号との組合せ、左外側音声信号ＬＷと右外側音声信号ＲＷとの組合せ、左上側音声信号ＬＨと右上側音声信号ＲＨとの組合せのいずれかを増幅して、対応するＳＰ端子に供給することができる。
【００４１】
次に、本発明の別の好ましい実施形態によるＡＶアンプの音声処理装置５Ｂを図６を参照して説明する。プリアウト部２１は、スイッチＳ２１ａ〜Ｓ２１ｄを有する。スイッチＳ２１ａは、左上側音声信号ＬＨをアンプ２２ｃに出力するか否かを切り換える。スイッチＳ２１ｂは、左外側音声信号ＬＷをアンプ２２ｃに出力するか否かを切り換える。スイッチＳ２１ｃは、右上側音声信号ＲＨをアンプ２２ｄに出力するか否かを切り換える。スイッチＳ２１ｄは、右外側音声信号ＲＷをアンプ２２ｄに出力するか否かを切り換える。
【００４２】
パワーアンプ２２は、アンプ２２ａ〜２２ｄを有する。アンプ２２ａは、入力されるサラウンド後方左音声信号ＳＢＬを増幅してスイッチＳ２３ａに供給する。アンプ２２ｂは、入力されるサラウンド後方右音声信号ＳＢＲを増幅してスイッチＳ２３ｂに供給する。アンプ２２ｃは、入力される左上側音声信号ＬＨ、又は、左外側音声信号ＬＷを増幅してスイッチＳ２３ｃ、Ｓ２３ｅに供給する。アンプ２２ｄは、入力される右上側音声信号ＲＨ、又は、右外側音声信号ＲＷを増幅してスイッチＳ２３ｄ、Ｓ２３ｆに供給する。
【００４３】
ＳＰリレー２３は、スイッチＳ２３ａ〜Ｓ２３ｆを有する。スイッチＳ２３ａは、アンプ２２ａから入力されるサラウンド後方左音声信号ＳＢＬを、サラウンド後方左ＳＰ端子２４ａに供給するか否かを切り換える。スイッチＳ２３ｃは、アンプ２２ｃから入力される左上側音声信号ＬＨを、左上側ＳＰ端子２４ｃに供給するか否かを切り換える。スイッチＳ２３ｃは、スイッチＳ２１ａがオン状態のときにオン状態にされる。スイッチＳ２３ｅは、アンプ２２ｃから入力される左外側音声信号ＬＷを、左外側ＳＰ端子２４ｅに供給するか否かを切り換える。スイッチＳ２３ｅは、スイッチＳ２１ｂがオン状態のときにオン状態にされる。
【００４４】
スイッチＳ２３ｂは、アンプ２２ｂから入力されるサラウンド後方右音声信号ＳＢＲを、サラウンド後方右ＳＰ端子２４ｂに供給するか否かを切り換える。スイッチＳ２３ｄは、アンプ２２ｄから入力される右上側音声信号ＲＨを、右上側ＳＰ端子２４ｄに供給するか否かを切り換える。スイッチＳ２３ｄは、スイッチＳ２１ｃがオン状態のときにオン状態にされる。スイッチＳ２３ｆは、アンプ２２ｄから入力される右外側音声信号ＲＷを、右外側ＳＰ端子２４ｆに供給するか否かを切り換える。スイッチＳ２３ｆは、スイッチＳ２１ｄがオン状態のときにオン状態にされる。
【００４５】
図７は、本例における制御部２の処理を示すフローチャートである。Ｓ１１〜Ｓ１４は、図５のＳ１〜Ｓ５と同様であるので説明を省略する。
【００４６】
制御部２は、マルチチャンネル音声データに左外側音声信号ＬＷと右外側音声信号ＲＷとの組合せが含まれているか否かを判断する（Ｓ１５）。含まれている場合（Ｓ１５でＹＥＳ）、制御部２は、左外側音声信号ＬＷを左外側ＳＰ端子２４ｅに供給し、右外側音声信号ＲＷを右外側ＳＰ端子２４ｆに供給するように、各スイッチを制御する（Ｓ１６）。すなわち、制御部２は、スイッチＳ２１ｂ、Ｓ２１ｄ、Ｓ２３ｅ及びＳ２３ｆをオン状態に、スイッチＳ２１ａ、Ｓ２１ｃ、Ｓ２３ｃ、Ｓ２３ｄをオフ状態に制御する。
【００４７】
Ｓ１５でＮＯと判断された場合、制御部２は、マルチチャンネル音声データに左上側音声信号ＬＨと右上側音声信号ＲＨとの組合せが含まれているか否かを判断する（Ｓ１８）。含まれている場合（Ｓ１８でＹＥＳ）、制御部２は、左上側音声信号ＬＨを左上側ＳＰ端子２４ｃに供給し、右上側音声信号ＲＨを右上側ＳＰ端子２４ｄに供給するように、各スイッチを制御する（Ｓ１７）。すなわち、制御部２は、スイッチＳ２１ａ、Ｓ２１ｃ、Ｓ２３ｃ及びＳ２３ｄをオン状態に、スイッチＳ２１ｂ、Ｓ２１ｄ、Ｓ２３ｅ、Ｓ２３ｆをオフ状態に制御する。
【００４８】
Ｓ１８でＮＯと判断された場合、制御部２は、左外側音声信号ＬＷと右外側音声信号ＲＷとの組合せ、及び、左上側音声信号ＬＨと右上側音声信号ＲＨとの組合せをＳＰ端子に供給しないように、各スイッチを制御する（Ｓ１９）。すなわち、制御部２は、スイッチＳ２１ａ〜Ｓ２１ｄ、Ｓ２３ｃ〜Ｓ２３ｆをオフ状態に制御する。
【００４９】
次に、本発明のさらに別の好ましい実施形態によるＡＶアンプの音声処理装置５Ｃを、図８を参照して説明する。音声処理装置５Ｃは、図４の音声処理装置５の変形例であり、Zone2及びBi-Ampの機能を使用可能にしたものである。
【００５０】
プリアウト部３１は、スイッチＳ３１ａ〜Ｓ３１ｆを有する。スイッチＳ３１ａは、ＤＳＰから入力されるサラウンド後方左音声信号ＳＢＬ、左上側音声信号ＬＨ、又は、左外側音声信号ＬＷのいずれかをアンプ３２ａに出力するか否かを切り換える。すなわち、制御部２の指示によりＤＳＰ内部において、Ｓ３１ａに供給されるチャンネルがサラウンド後方左音声信号ＳＢＬ、左上側音声信号ＬＨ、又は、左外側音声信号ＬＷの中から１つ選択される。スイッチＳ３１ｂは、ＤＳＰから入力されるZone2用左音声信号Ｚ２Ｌをアンプ３２ａに出力するか否かを切り換える。スイッチＳ３１ｃは、ＤＳＰから入力される左音声信号Ｌ（Bi-Amp用）をアンプ３２ａに出力するか否かを切り換える。Zone2又はBi-Ampの機能を使用するか否かに応じて、スイッチＳ３１ａ〜Ｓ３１ｃの内、いずれか１つのスイッチがオン状態とされる。
【００５１】
スイッチＳ３１ｄは、ＤＳＰから入力されるサラウンド後方右音声信号ＳＢＲ、右上側音声信号ＲＨ、又は、右外側音声信号ＲＷのいずれかをアンプ３２ｂに出力するか否かを切り換える。すなわち、制御部２の指示によりＤＳＰ内部において、Ｓ３１ｄに供給されるチャンネルがサラウンド後方右音声信号ＳＢＲ、右上側音声信号ＲＨ、又は、右外側音声信号ＲＷの中から１つ選択される。スイッチＳ３１ｅは、ＤＳＰから入力されるZone2用右音声信号Ｚ２Ｒをアンプ３２ｂに出力するか否かを切り換える。スイッチＳ３１ｆは、ＤＳＰから入力される右音声信号Ｒ（Bi-Amp用）をアンプ３２ｂに出力するか否かを切り換える。Zone2又はBi-Ampの機能を使用するか否かに応じて、スイッチＳ３１ｄ〜Ｓ３１ｆの内、いずれか１つのスイッチがオン状態とされる。
【００５２】
パワーアンプ３２は、アンプ３２ａ及び３２ｂを有する。アンプ３２ａは、入力されるサラウンド後方左音声信号ＳＢＬ、左上側音声信号ＬＨ、左外側音声信号ＬＷ、Zone2用左音声信号Ｚ２Ｌ又は左音声信号Ｌ（Bi-Amp用）を増幅してスイッチＳ３３ａ、Ｓ３３ｃ、Ｓ３３ｅに供給する。アンプ３２ｂは、入力されるサラウンド後方右音声信号ＳＢＲ、右上側音声信号ＲＨ、右外側音声信号ＲＷ、Zone2用右音声信号Ｚ２Ｒ又は右音声信号Ｒ（Bi-Amp用）を増幅してスイッチＳ３３ｂ、Ｓ３３ｄ、Ｓ３３ｆに供給する。
【００５３】
ＳＰリレー３３は、スイッチＳ３３ａ〜Ｓ３３ｆを有する。スイッチＳ３３ａは、アンプ３２ａから入力されるサラウンド後方左音声信号ＳＢＬ、Zone2用左音声信号Ｚ２Ｌ又は左音声信号Ｌ（Bi-Amp用）を、サラウンド後方左ＳＰ端子３４ａに供給するか否かを切り換える。スイッチＳ３３ａは、スイッチＳ３１ａがオン状態かつスイッチＳ３１ａにサラウンド後方左音声信号ＳＢＬが供給されるとき、スイッチＳ３１ｂがオン状態のとき、又は、スイッチＳ３１ｃがオン状態のときにオン状態にされる。スイッチＳ３３ｃは、アンプ３２ａから入力される左上側音声信号ＬＨを、左上側ＳＰ端子３４ｃに供給するか否かを切り換える。スイッチＳ３３ｃは、スイッチＳ３１ａがオン状態かつスイッチＳ３１ａに左上側音声信号ＬＨが供給されているときにオン状態にされる。スイッチＳ３３ｅは、アンプ３２ａから入力される左外側音声信号ＬＷを、左外側ＳＰ端子３４ｅに供給するか否かを切り換える。スイッチＳ３３ｅは、スイッチＳ３１ａがオン状態かつスイッチＳ３１ａに左外側信号ＬＷが供給されているときにオン状態にされる。
【００５４】
スイッチＳ３３ｂは、アンプ３２ｂから入力されるサラウンド後方右音声信号ＳＢＲ、Zone2用右音声信号Ｚ２Ｒ又は右音声信号Ｒ（Bi-Amp用）を、サラウンド後方右ＳＰ端子３４ｂに供給するか否かを切り換える。スイッチＳ３３ｂは、スイッチＳ３１ｄがオン状態かつスイッチＳ３１ｄにサラウンド後方右音声信号ＳＢＲが供給されているとき、スイッチＳ３１ｅがオン状態のとき、又は、スイッチＳ３１ｆがオン状態のときにオン状態にされる。スイッチＳ３３ｄは、アンプ３２ｂから入力される右上側音声信号ＲＨを、右上側ＳＰ端子３４ｄに供給するか否かを切り換える。スイッチＳ３３ｄは、スイッチＳ３１ｄがオン状態のときかつスイッチＳ３１ｄに右上側音声信号ＲＨが供給されているときにオン状態にされる。スイッチＳ３３ｆは、アンプ３２ｂから入力される右外側音声信号ＲＷを、右外側ＳＰ端子３４ｆに供給するか否かを切り換える。スイッチＳ３３ｆは、スイッチＳ３１ｄがオン状態かつスイッチＳ３１ｄに右外側音声信号Ｒが供給されているときにオン状態にされる。
【００５５】
ＳＰ端子３４は、ＳＰ端子３４ａ〜３４ｆを有する。機能を使用しない場合には、各ＳＰ端子に上記と同様のスピーカーが接続される。Zone2の機能を使用する場合には、サラウンド後方左ＳＰ端子３４ａにはZone2用左スピーカーＳＺ２Ｌが接続され、サラウンド後方右ＳＰ端子３４ｂにはZone2用右スピーカーＳＺ２Ｒが接続される。Bi-Ampの機能を使用する場合には、サラウンド後方左ＳＰ端子３４ａには左スピーカーＳＬのBi-Amp用端子が接続され、サラウンド後方右ＳＰ端子３４ｂには右スピーカーＳＲのBi-Amp用端子が接続される。
【００５６】
次に本例の動作を説明する。
（１）Bi-Ampの機能を使用する場合；
制御部２は、左音声信号Ｌ（Bi-Amp用）をサラウンド後方左ＳＰ端子３４ａに供給し、右音声信号Ｒ（Bi-Amp用）をサラウンド後方右ＳＰ端子３４ｂに供給するように、ＤＳＰ及び各スイッチを制御する。すなわち、制御部２は、ＤＳＰに左音声信号Ｌ（Bi-Amp用）をスイッチＳ３１ｃに供給させ、右音声信号Ｒ（Bi-Amp用）をスイッチＳ３１ｆに供給させる。制御部２は、スイッチＳ３１ｃ、Ｓ３１ｆ、Ｓ３３ａ及びＳ３３ｂをオン状態に、その他のスイッチをオフ状態に制御する。
【００５７】
（２）Zone2の機能を使用する場合；
制御部２は、Zone2用左音声信号Ｚ２Ｌをサラウンド後方左ＳＰ端子３４ａに供給し、Zone2用右音声信号Ｚ２Ｒをサラウンド後方右ＳＰ端子３４ｂに供給するように、ＤＳＰ及び各スイッチを制御する。すなわち、制御部２は、ＤＳＰにZone2用左音声信号Ｚ２ＬをスイッチＳ３１ｂに供給させ、Zone2用右音声信号Ｚ２ＲをスイッチＳ３１ｅに供給させる。制御部２は、スイッチＳ３１ｂ、Ｓ３１ｅ、Ｓ３３ａ及びＳ３３ｂをオン状態に、その他のスイッチをオフ状態に制御する。
【００５８】
（３）左外側音声信号ＬＷと右外側音声信号ＲＷとの組合せが含まれている場合；
制御部２は、左外側音声信号ＬＷを左外側ＳＰ端子３４ｅに供給し、右外側音声信号ＲＷを右外側ＳＰ端子３４ｆに供給するように、ＤＳＰ及び各スイッチを制御する。すなわち、制御部２は、ＤＳＰに左外側音声信号ＬＨをスイッチＳ３１ａに供給させ、右外側音声信号ＲＨをスイッチＳ３１ｄに供給させる。制御部２は、スイッチＳ３１ａ、Ｓ３１ｄ、Ｓ３３ｅ及びＳ３３ｆをオン状態に、その他のスイッチをオフ状態に制御する。
【００５９】
（４）左上側音声信号ＬＨと右上側音声信号ＲＨとの組合せが含まれている場合；
制御部２は、左上側音声信号ＬＨを左上側ＳＰ端子３４ｃに供給し、右上側音声信号ＲＨを右上側ＳＰ端子３４ｄに供給するように、ＤＳＰ及び各スイッチを制御する。すなわち、制御部２は、ＤＳＰに左上側音声信号ＬＷをスイッチＳ３１ａに供給させ、右上側音声信号ＲＷをスイッチＳ３１ｄに供給させる。制御部２は、スイッチＳ３１ａ、Ｓ３１ｄ、Ｓ３３ｃ及びＳ３３ｄをオン状態に、その他のスイッチをオフ状態に制御する。
【００６０】
（５）サラウンド後方左音声信号ＳＢＬとサラウンド後方右音声信号ＳＢＲとの組合せが含まれている場合；
制御部２は、サラウンド後方左音声信号ＳＢＬをサラウンド後方左ＳＰ端子３４ａに供給し、サラウンド後方右音声信号ＳＢＲをサラウンド後方右ＳＰ端子３４ｂに供給するように、ＤＳＰ及び各スイッチを制御する。すなわち、制御部２は、ＤＳＰにサラウンド後方左音声信号ＳＢＬをスイッチＳ３１ａに供給させ、サラウンド後方右音声信号ＳＢＲをスイッチＳ３１ｄに供給させる。制御部２は、スイッチＳ３１ａ、Ｓ３１ｄ、Ｓ３３ａ及びＳ３３ｂをオン状態に、その他のスイッチをオフ状態に制御する。
【００６１】
次に、本発明のさらに別の好ましい実施形態によるＡＶアンプの音声処理部５Ｄを、図９を参照して説明する。音声処理装置５Ｄは、図６の音声処理装置５Ｂの変形例であり、Zone2、Zone3、Bi-Amp、BTL、スピーカーＢ、パッシブサブウーファ出力の機能を適用可能にしたものである。
【００６２】
プリアウト部４１は、スイッチＳ４１ａ〜Ｓ４１ｎを有する。スイッチＳ４１ａは、ＤＳＰから入力されるサラウンド後方左音声信号ＳＢＬをアンプ４２ａに出力するか否かを切り換える。スイッチＳ４１ｂは、ＤＳＰから入力されるZone3用左音声信号Ｚ３Ｌをアンプ４２ａに出力するか否かを切り換える。スイッチＳ４１ｃは、ＤＳＰから入力される左音声信号Ｌ（Bi-Amp用）をアンプ４２ａに出力するか否かを切り換える。スイッチＳ４１ｄは、BTL用左音声信号Ｌ−をアンプ４２ａに出力するか否かを切り換える。機能を使用するか否かに応じて、Ｓ４１ａ〜Ｓ４１ｄの内、いずれか１つのスイッチがオン状態とされる。
【００６３】
スイッチＳ４１ｅは、ＤＳＰから入力されるサラウンド後方右音声信号ＳＢＲをアンプ４２ｂに出力するか否かを切り換える。スイッチＳ４１ｆは、ＤＳＰから入力されるZone3用右音声信号Ｚ３Ｒをアンプ４２ｂに出力するか否かを切り換える。スイッチＳ４１ｇは、ＤＳＰから入力される右音声信号Ｒ（Bi-Amp用）をアンプ４２ｂに出力するか否かを切り換える。スイッチＳ４１ｈは、BTL用右音声信号Ｒ−をアンプ４２ｂに出力するか否かを切り換える。各機能を使用するか否かに応じて、Ｓ４１ｅ〜Ｓ４１ｈの内、いずれか１つのスイッチがオン状態とされる。
【００６４】
スイッチＳ４１ｉは、ＤＳＰから入力される左上側音声信号ＬＨ又は左外側音声信号ＬＷをアンプ４２ｃに出力するか否かを切り換える。すなわち、ＤＳＰ内部において、Ｓ４１ｉに供給されるチャンネルが左上側音声信号ＨＬ、又は、左外側音声信号ＬＷの中から１つ選択される。スイッチＳ４１ｊは、ＤＳＰから入力される低域音声信号ＳＷをアンプ４２ｃに出力するか否かを切り換える。スイッチＳ４１ｋは、ＤＳＰから入力されるZone2用左音声信号Ｚ２Ｌをアンプ４２ｃに出力するか否かを切り換える。各機能を使用するか否かに応じて、Ｓ４１ｉ〜Ｓ４１ｋの内、いずれか１つのスイッチがオン状態とされる。
【００６５】
スイッチＳ４１ｌは、ＤＳＰから入力される右上側音声信号ＲＨ又は右外側音声信号ＲＷをアンプ４２ｄに出力するか否かを切り換える。すなわち、ＤＳＰ内部において、Ｓ４１ｌに供給されるチャンネルが右上側音声信号ＲＨ、又は、右外側音声信号ＲＷの中から１つ選択される。スイッチＳ４１ｍは、ＤＳＰから入力される低域音声信号ＳＷをアンプ４２ｄに出力するか否かを切り換える。スイッチＳ４１ｎは、ＤＳＰから入力されるZone2用右音声信号Ｚ２Ｒをアンプ４２ｄに出力するか否かを切り換える。各機能を使用するか否かに応じて、Ｓ４１ｌ〜４１ｎの内、いずれか１つのスイッチがオン状態とされる。
【００６６】
パワーアンプ４２は、アンプ４２ａ〜４２ｄを有する。アンプ４２ａは、入力されるサラウンド後方左音声信号ＳＢＬ、Zone3用左音声信号Ｚ3Ｌ、左音声信号Ｌ（Bi-Amp用）又はBTL用左音声信号Ｌ−を増幅してスイッチＳ４３ａに供給する。アンプ４２ｂは、入力されるサラウンド後方右音声信号ＳＢＲ、Zone3用右音声信号Ｚ３Ｒ、右音声信号Ｒ（Bi-Amp用）又はBTL用右音声信号Ｒ−を増幅してスイッチＳ４３ｂに供給する。アンプ４２ｃは、入力される左上側音声信号ＬＨ、左外側音声信号ＬＷ、低域信号ＳＷ又はZone2用左音声信号Ｚ２Ｌを増幅してスイッチＳ４３ｃに供給する。アンプ４２ｄは、入力される右上側音声信号ＲＨ、右外側音声信号ＲＷ、低域音声信号ＳＷ又はZone2用右音声信号Ｚ２Ｒを増幅してスイッチＳ４３ｄに供給する。アンプ４２ｅは、左音声信号Ｌ用のアンプであり、ＤＳＰから供給される左音声信号Ｌを増幅してスイッチＳ４３ｆに供給する。アンプ４２ｆは、右音声信号Ｒ用のアンプであり、ＤＳＰから供給される右音声信号Ｒを増幅してスイッチＳ４３ｈに供給する。
【００６７】
ＳＰリレー４３は、スイッチＳ４３ａ〜Ｓ４３ｈを有する。スイッチＳ４３ａは、アンプ４２ａから入力されるサラウンド後方左音声信号ＳＢＬ、Zone3用左音声信号Ｚ3Ｌ、左音声信号Ｌ（Bi-Amp用）又はBTL用左音声信号Ｌ−を、サラウンド後方左ＳＰ端子４４ａに供給するか否かを切り換える。スイッチＳ４３ａは、スイッチＳ４１ａ〜Ｓ４１ｄのいずれかがオン状態のときにオン状態になる。スイッチＳ４３ｂは、アンプ４２ｂから入力されるサラウンド後方右音声信号ＳＢＲ、Zone3用右音声信号Ｚ3Ｒ、右音声信号Ｒ（Bi-Amp用）又はBTL用右音声信号Ｒ−を、サラウンド後方右ＳＰ端子４４ｂに供給するか否かを切り換える。スイッチＳ４３ｂは、スイッチＳ４１ｅ〜Ｓ４１ｈのいずれかがオン状態のときにオン状態になる。
【００６８】
スイッチＳ４３ｃは、アンプ４２ｃから入力される左上側音声信号ＬＨ、又は、低域音声信号ＳＷを、左上側ＳＰ端子４４ｃに供給するか否かを切り換える。スイッチＳ４３ｃは、スイッチＳ４１ｉがオン状態かつスイッチＳ４１ｉに左上側音声信号ＬＨが供給されているとき、又は、スイッチＳ４１ｊがオン状態のときにオン状態にされる。スイッチＳ４３ｄは、アンプ４２ｄから入力される右上側音声信号ＲＨ、又は、低域音声信号ＳＷを、右上側ＳＰ端子４４ｄに供給するか否かを切り換える。スイッチＳ４３ｄは、スイッチＳ４１ｌがオン状態かつスイッチＳ４１ｌに右上側音声信号ＲＨが供給されているとき、又は、スイッチＳ４１ｍがオン状態のときにオン状態にされる。
【００６９】
スイッチＳ４３ｅは、アンプ４２ｃから入力される左外側音声信号ＬＷ、又は、Zone2用左声信号Ｚ２Ｌを、左外側ＳＰ端子４４ｅに供給するか否かを切り換える。スイッチＳ４３ｅは、スイッチＳ４１ｉがオン状態かつスイッチＳ４１ｉに左外側音声信号ＬＷが供給されているとき、又は、スイッチＳ４１ｋがオン状態のときにオン状態にされる。スイッチＳ４３ｇは、アンプ４２ｄから入力される右外側音声信号ＲＷ、又は、Zone2用右声信号Ｚ２Ｒを、右外側ＳＰ端子４４ｆに供給するか否かを切り換える。スイッチＳ４３ｇは、スイッチＳ４１ｌがオン状態かつスイッチＳ４１ｌに右外側音声信号ＲＷが供給されているとき、又は、スイッチＳ４１ｎがオン状態のときにオン状態にされる。
【００７０】
スイッチＳ４３ｆは、アンプ４２ｅから入力される左音声信号Ｌ（スピーカーＢ用）を左外側ＳＰ端子４４ｅに供給するか否かを切り換える。スイッチＳ４３ｈは、アンプ４２ｆから入力される右音声信号Ｒ（スピーカーＢ用）を右外側ＳＰ端子４４ｆに供給するか否かを切り換える。
【００７１】
ＳＰ端子４４は、ＳＰ端子４４ａ〜４４ｆを有する。機能を使用しない場合には、各ＳＰ端子には上記と同様のスピーカーが接続される。Zone3の機能を使用する場合には、サラウンド後方左ＳＰ端子４４ａにはZone3用左スピーカーＳＺ３Ｌが接続され、サラウンド後方右ＳＰ端子４４ｂにはZone3用右スピーカーＳＺ３Ｒが接続される。Bi-Ampの機能を使用する場合には、サラウンド後方左ＳＰ端子４４ａには左スピーカーＳＬのBi-Amp用端子が接続され、サラウンド後方右ＳＰ端子４４ｂには右スピーカーＳＲのBi-Amp用端子が接続される。BTLの機能を使用する場合には、サラウンド後方左ＳＰ端子４４ａには左スピーカーＳＬの−側が接続され、サラウンド後方右ＳＰ端子４４ｂには右スピーカーＳＬの−側が接続される。パッシブサブウーファ出力の機能を使用する場合には、左上側ＳＰ端子４４ｃ及び右上側ＳＰ端子４４ｄにはパッシブサブウーファ（アンプ非内蔵の低域専用スピーカー）が接続される。Zone2の機能を使用する場合には、左外側ＳＰ端子４４ｅにはZone2用左スピーカーＳＺ２Ｌが接続され、右外側ＳＰ端子４４ｆにはZone2用右スピーカーＳＺ２Ｒが接続される。スピーカーＢの機能を使用する場合には、左外側ＳＰ端子４４ｅにはスピーカーＢ用左スピーカーＳＬＢが接続され、右外側ＳＰ端子４４ｆにはスピーカーＢ用右スピーカーＳＲＢが接続される。
【００７２】
次に本例の動作を説明する。
（１）Bi-Ampの機能を使用する場合；
制御部２は、左音声信号Ｌ（Bi-Amp用）をサラウンド後方左ＳＰ端子４４ａに供給し、右音声信号Ｒ（Bi-Amp用）をサラウンド後方右ＳＰ端子４４ｂに供給するように、ＤＳＰ及び各スイッチを制御する。すなわち、制御部２は、ＤＳＰに左音声信号Ｌ（Bi-Amp用）をスイッチＳ４１ｃに供給させ、右音声信号Ｒ（Bi-Amp用）をスイッチＳ４１ｇに供給させる。制御部２は、スイッチＳ４１ｃ、Ｓ４１ｇ、Ｓ４３ａ及びＳ４３ｂをオン状態に、スイッチＳ４１ａ、Ｓ４１ｂ、Ｓ４１ｄ、Ｓ４１ｅ、Ｓ４１ｆ、Ｓ４１ｈをオフ状態に制御する。
【００７３】
（２）BTLの機能を使用する場合；
制御部２は、BTL用左音声信号Ｌ−をサラウンド後方左ＳＰ端子４４ａに供給し、BTL用右音声信号Ｒ−をサラウンド後方右ＳＰ端子４４ｂに供給するように、ＤＳＰ及び各スイッチを制御する。すなわち、制御部２は、ＤＳＰにBTL用左音声信号Ｌ−をスイッチＳ４１ｄに供給させ、BTL用右音声信号Ｒ−をスイッチＳ４１hに供給させる。制御部２は、スイッチＳ４１d、Ｓ４１h、Ｓ４３ａ及びＳ４３ｂをオン状態に、スイッチＳ４１ａ、Ｓ４１ｂ、Ｓ４１c、Ｓ４１ｅ、Ｓ４１ｆ、Ｓ４１gをオフ状態に制御する。
【００７４】
（３）スピーカーＢの機能を使用する場合；
制御部２は、左音声信号Ｌを左外側ＳＰ端子４４ｅに供給し、右音声信号Ｒを右外側ＳＰ端子４４ｆに供給するように、ＤＳＰ及び各スイッチを制御する。すなわち、制御部２は、スイッチＳ４３ｆ、Ｓ４３ｈをオン状態に、スイッチＳ４１ｉ〜Ｓ４１ｎ、Ｓ４３ｃ、Ｓ４３ｄ、Ｓ４３ｅ、Ｓ４３ｇをオフ状態に制御する。
【００７５】
（４）パッシブサブウーファ出力の機能を使用する場合；
制御部２は、低域音声信号ＳＷを左上側ＳＰ端子４４ｃ及び右上側ＳＰ端子４４ｄに供給するように、ＤＳＰ及び各スイッチを制御する。すなわち、制御部２は、ＤＳＰに低域音声信号ＳＷをスイッチＳ４１ｊ、Ｓ４１ｍに供給させる。制御部２は、スイッチＳ４１ｊ、Ｓ４１ｍ、Ｓ４３ｃ及びＳ４３ｄをオン状態に、スイッチＳ４１ｉ、Ｓ４１ｋ、Ｓ４１ｌ、Ｓ４１ｎ、Ｓ４３ｅ、Ｓ４３ｆ、Ｓ４３ｇ、Ｓ４３ｈをオフ状態に制御する。
【００７６】
（５）Zone2の機能を使用する場合；
制御部２は、Zone2用左音声信号Ｚ２Ｌを左外側ＳＰ端子４４ｅに供給し、Zone2用右音声信号Ｚ２Ｒを右外側ＳＰ端子４４ｆに供給するように、ＤＳＰ及び各スイッチを制御する。すなわち、制御部２は、ＤＳＰにZone2用左音声信号Ｚ２ＬをスイッチＳ４１ｋに供給させ、Zone2用右音声信号Ｚ２ＲをスイッチＳ４１ｎに供給させる。制御部２は、スイッチＳ４１ｋ、Ｓ４１ｎ、Ｓ４３ｅ及びＳ４３ｇをオン状態に、スイッチＳ４１ｉ、Ｓ４１ｊ、Ｓ４１ｌ、Ｓ４１ｍ、Ｓ４３ｃ、Ｓ４３ｄ、Ｓ４３ｆ、Ｓ４３ｇをオフ状態に制御する。
【００７７】
（６）Zone3の機能を使用する場合；
制御部２は、Zone3用左音声信号Ｚ３Ｌをサラウンド後方左ＳＰ端子４４ａに供給し、Zone3用右音声信号Ｚ３Ｒをサラウンド後方右ＳＰ端子４４ｂに供給するように、ＤＳＰ及び各スイッチを制御する。すなわち、制御部２は、ＤＳＰにZone3用左音声信号Ｚ３ＬをスイッチＳ４１ｂに供給させ、Zone3用右音声信号Ｚ３ＲをスイッチＳ４１ｆに供給させる。制御部２は、スイッチＳ４１ｂ、Ｓ４１ｆ、Ｓ４３ａ及びＳ４３ｂをオン状態に、スイッチＳ４１ａ、Ｓ４１ｃ、Ｓ４１ｄ、Ｓ４１ｅ、Ｓ４１ｇ、Ｓ４１ｈをオフ状態に制御する。
【００７８】
（７）左外側音声信号ＬＷと右外側音声信号ＲＷとの組合せが含まれている場合；
制御部２は、左外側音声信号ＬＷを左外側ＳＰ端子４４ｅに供給し、右外側音声信号ＲＷを右外側ＳＰ端子４４ｆに供給するように、ＤＳＰ及び各スイッチを制御する。すなわち、制御部２は、ＤＳＰに左外側音声信号ＬＷをスイッチＳ４１ｉに供給させ、右外側音声信号ＲＷをスイッチＳ４１ｌに供給させる。制御部２は、スイッチＳ４１ｉ、Ｓ４１ｌ、Ｓ４３ｅ及びＳ４３ｇをオン状態に、スイッチＳ４１ｊ、Ｓ４１ｋ、Ｓ４１ｍ、Ｓ４１ｎ、Ｓ４３ｃ、Ｓ４３ｄ、Ｓ４３ｆ、Ｓ４３ｈをオフ状態に制御する。
【００７９】
（８）左上側音声信号ＬＨと右上側音声信号ＲＨとの組合せが含まれている場合；
制御部２は、左上側音声信号ＬＨを左上側ＳＰ端子４４ｃに供給し、右上側音声信号ＲＨを右上側ＳＰ端子４４ｄに供給するように、ＤＳＰ及び各スイッチを制御する。すなわち、制御部２は、ＤＳＰに左上側音声信号ＬＨをスイッチＳ４１ｉに供給させ、右上側音声信号ＲＨをスイッチＳ４１ｌに供給させる。制御部２は、スイッチＳ４１ｉ、Ｓ４１ｌ、Ｓ４３ｃ及びＳ４３ｄをオン状態に、スイッチＳ４１ｊ、Ｓ４１ｋ、Ｓ４１ｍ、Ｓ４１ｎ、Ｓ４３ｅ、Ｓ４３ｆ、Ｓ４３ｇ、Ｓ４３ｈをオフ状態に制御する。
【００８０】
（９）サラウンド後方左音声信号ＳＢＬとサラウンド後方右音声信号ＳＢＲとの組合せが含まれている場合；
制御部２は、サラウンド後方左音声信号ＳＢＬをサラウンド後方左ＳＰ端子４４ａに供給し、サラウンド後方右音声信号ＳＢＲをサラウンド後方右ＳＰ端子４４ｂに供給するように、ＤＳＰ及び各スイッチを制御する。すなわち、制御部２は、ＤＳＰにサラウンド後方左音声信号ＳＢＬをスイッチＳ４１ａに供給させ、サラウンド後方右音声信号ＳＢＲをスイッチＳ４１ｅに供給させる。制御部２は、スイッチＳ４１ａ、Ｓ４１ｅ、Ｓ４３ａ及びＳ４３ｂをオン状態に、スイッチＳ４１ｂ、Ｓ４１ｃ、Ｓ４１ｄ、Ｓ４１ｆ、Ｓ４１ｇ、Ｓ４１ｈをオフ状態に制御する。
【００８１】
以上のように、各ＳＰ端子に割り当てられる音声信号のチャンネル及び機能は、使用される機能に応じて変化し、割り当てられたチャンネル及び機能に対応するスピーカーを各ＳＰ端子に接続する必要がある。本例では、ＳＰ端子に割り当てられているチャンネル及び機能をユーザが容易に認識できるように、制御部２は、各ＳＰ端子と、各ＳＰ端子に割り当てられているチャンネル及び機能を示す画像（以下ＳＰ端子画像という。）を表示部７に表示させる、又は、ＳＰ端子画像のＯＳＤ画面をディスプレイ装置２００に出力し、ディスプレイ装置２００にＯＳＤ表示させる。
【００８２】
図１０は、図９の音声処理装置５Ｄに対応するＳＰ端子画像を示す図である。左から順に、サラウンド右ＳＰ端子４４ｊ、右上側ＳＰ端子４４ｄ、右外側ＳＰ端子４４ｆ、サラウンド後方右ＳＰ端子４４ｂ、右ＳＰ端子４４ｈ、左ＳＰ端子４４ｇ、サラウンド後方左ＳＰ端子４４ａ、左外側ＳＰ端子４４ｅ、左上側ＳＰ端子４４ｃ、サラウンド左ＳＰ端子４４ｉが表示される。各ＳＰ端子において、左側の二重丸印はスピーカーの＋側端子と接続する端子であり、右側の丸印はスピーカーの−側端子と接続する端子である。
【００８３】
上記（７）〜（９）のように機能を使用しない場合には、各ＳＰ端子４４に割り当てられるチャンネルは図１０Ａのようになるので、制御部２は、図１０ＡのＳＰ端子画像を表示させる。
【００８４】
上記（６）Zone3の機能を使用する場合、及び、（５）Zone2の機能を使用する場合には、各ＳＰ端子４４に割り当てられるチャンネル及び機能は図１０Ｂのようになるので、制御部２は、図１０ＢのＳＰ端子画像を表示させる。つまり、サラウンド後方左ＳＰ端子４４ａにZone3用左音声信号Ｚ３Ｌが割り当てられ、サラウンド後方右ＳＰ端子４４ｂにZone3用右音声信号Ｚ３Ｒが割り当てられ、左外側ＳＰ端子４４ｅにZone2用左音声信号Ｚ２Ｌが割り当てられ、右外側ＳＰ端子４４ｆにZone2用右音声信号Ｚ２Ｒが割り当てられていることを示す画像が表示される。
【００８５】
上記（１）Bi-Ampの機能を使用する場合には、各ＳＰ端子４４に割り当てられるチャンネル及び機能は図１０Ｃのようになるので、制御部２は、図１０ＣのＳＰ端子画像を表示させる。つまり、サラウンド後方左ＳＰ端子４４ａに左音声信号Ｌ（Bi-Amp用）が割り当てられ、サラウンド後方右ＳＰ端子４４ｂに右音声信号Ｒ（Bi-Amp用）が割り当てられていることを示す画像が表示される。
【００８６】
上記（２）BTLの機能を使用する場合には、各ＳＰ端子４４に割り当てられるチャンネル及び機能は図１０Ｄのようになるので、制御部２は、図１０ＤのＳＰ端子画像を表示させる。つまり、サラウンド後方左ＳＰ端子４４ａにBTL用左音声信号Ｌ−（左スピーカーの−端子）が割り当てられ、左ＳＰ端子４４ｇにBTL用左音声信号Ｌ＋（左スピーカーの＋端子）が割り当てられ、サラウンド後方右ＳＰ端子４４ｂにBTL用右音声信号Ｒ−（右スピーカーの−端子）が割り当てられ、右ＳＰ端子４４ｈにBTL用右音声信号Ｒ＋（右スピーカーの＋端子）が割り当てられていることを示す画像が表示される。
【００８７】
上記（４）パッシブサブウーファ出力の機能を使用する場合には、各ＳＰ端子４４に割り当てられるチャンネル及び機能は図１０Ｅのようになるので、制御部２は、図１０ＥのＳＰ端子画像を表示させる。つまり、左上側ＳＰ端子４４ｃ及び右上側ＳＰ端子４４ｄに低域音声信号ＳＷが割り当てられ、左外側ＳＰ端子４４ｅ及び右外側ＳＰ端子４４ｆには何も割当てられていないことを示す画像が表示される。
【００８８】
上記（３）スピーカーＢの機能を使用する場合には、各ＳＰ端子４４に割り当てられるチャンネル及び機能は図１０Ｆのようになるので、制御部２は、図１０ＦのＳＰ端子画像を表示させる。つまり、左外側ＳＰ端子４４ｅにスピーカーＢ用左音声信号Ｌが割り当てられ、右外側ＳＰ端子４４ｆにスピーカーＢ用右音声信号Ｒが割り当てられ、左上側ＳＰ端子４４ｃ及び右上側ＳＰ端子４４ｄには何も割当てられていないことを示す画像が表示される。
【００８９】
図１１、図１２は、図１０の画像を生成するための制御部２の処理を示すフローチャートである。制御部２は、図１１のように、サラウンド後方左ＳＰ端子４４ａ、サラウンド後方右ＳＰ端子４４ｂの表示内容を判定する。制御部２は、BTLの機能を使用するか否かを判断する（Ｓ２１）。BTLの機能を使用する場合（Ｓ２１でＹＥＳ）、制御部２は、図１０Ｄに示すように、サラウンド後方左ＳＰ端子４４ａにBTL用左音声信号Ｌ−が割り当てられ、サラウンド後方右ＳＰ端子４４ｂにBTL用右音声信号Ｒ−が割り当てられることを示す画像を表示させる（Ｓ２２）。
【００９０】
BTLの機能を使用しない場合（Ｓ２１でＮＯ）、制御部２は、Bi-Ampの機能を使用するか否かを判断する（Ｓ２３）。Bi-Ampの機能を使用する場合（Ｓ２３でＹＥＳ）、制御部２は、図１０Ｃに示すように、サラウンド後方左ＳＰ端子４４ａに左音声信号Ｌ（Bi-Amp用）が割り当てられ、サラウンド後方右ＳＰ端子４４ｂに右音声信号Ｒ（Bi-Amp用）が割り当てられることを示す画像を表示させる（Ｓ２４）。
【００９１】
Bi-Ampの機能を使用しない場合（Ｓ２３でＮＯ）、制御部２は、Zone3の機能を使用するか否かを判断する（Ｓ２５）。Zone3の機能を使用する場合（Ｓ２５でＹＥＳ）、制御部２は、図１０Ｂに示すように、サラウンド後方左ＳＰ端子４４ａにZone3用左音声信号Ｚ３Ｌが割り当てられ、サラウンド後方右ＳＰ端子４４ｂにZone3用右音声信号Ｚ３Ｒが割り当てられることを示す画像を表示させる（Ｓ２６）。
【００９２】
Zone3の機能を使用しない場合（Ｓ２５でＮＯ）、制御部２は、図１０Ａ、図１０Ｅ、図１０Ｆに示すように、サラウンド後方左ＳＰ端子４４ａにサラウンド後方左音声信号ＳＢＬが割り当てられ、サラウンド後方右ＳＰ端子４４ｂにサラウンド後方右音声信号ＳＢＲが割り当てられることを示す画像を表示させる（Ｓ２７）。
【００９３】
制御部２は、図１２のように、左外側ＳＰ端子４４ｅ、右外側ＳＰ端子４４ｆ、左上側ＳＰ端子４４ｃ、右上側ＳＰ端子４４ｄの表示内容を判定する。制御部２は、スピーカーＢの機能を使用するか否かを判断する（Ｓ３１）。スピーカーＢの機能を使用する場合（Ｓ３１でＹＥＳ）、制御部２は、図１０Ｆに示すように、左外側ＳＰ端子４４ｅにスピーカーＢ用左音声信号Ｌが割り当てられ、右外側ＳＰ端子４４ｆにスピーカーＢ用右音声信号Ｒが割り当てられ、左上側ＳＰ端子４４ｃ及び右上側ＳＰ端子４４ｄに何も割り当てられていないことを示す画像を表示させる（Ｓ３２）。
【００９４】
スピーカーＢの機能を使用しない場合（Ｓ３１でＮＯ）、制御部２は、パッシブサブウーファ出力の機能を使用するか否かを判断する（Ｓ３３）。パッシブサブウーファ出力の機能を使用する場合（Ｓ３３でＹＥＳ）、制御部２は、図１０Ｅに示すように、左上側ＳＰ端子４４ｃに低域音声信号ＳＷが割り当てられ、右上側ＳＰ端子４４ｄに低域音声信号ＳＷが割り当てられ、左外側ＳＰ端子４４ｅ及び右外側ＳＰ端子４４ｆに何も割り当てられていないことを示す画像を生成し表示させる（Ｓ３４）。
【００９５】
パッシブサブウーファ出力の機能を使用しない場合（Ｓ３３でＮＯ）、制御部２は、Zone2の機能を使用するか否かを判断する（Ｓ３５）。Zone2の機能を使用する場合（Ｓ３５でＹＥＳ）、制御部２は、図１０Ｂに示すように、左外側ＳＰ端子４４ｅにZone2用左音声信号Ｚ２Ｌが割り当てられ、右外側ＳＰ端子４４ｆにZone2用右音声信号Ｚ２Ｒが割り当てられ、左上側ＳＰ端子４４ｃに左上側音声信号ＬＨが割り当てられ、右上側ＳＰ端子４４ｄに右上側音声信号ＲＨが割り当てられていることを示す画像を生成し表示させる（Ｓ３６）。
【００９６】
Zone2の機能を使用しない場合（Ｓ３５でＮＯ）、制御部２は、図１０Ａ、図１０Ｃ、図１０Ｄに示すように、左外側ＳＰ端子４４ｅに左外側音声信号ＬＷが割り当てられ、右外側ＳＰ端子４４ｆに右外側音声信号ＲＷが割り当てられ、左上側ＳＰ端子４４ｃに左上側音声信号ＬＨが割り当てられ、右上側ＳＰ端子４４ｄに右上側音声信号ＲＨが割り当てられていることを示す画像を表示させる（Ｓ３７）。
【００９７】
以上のように、本例によると、ユーザは、ＳＰ端子に割り当てられているチャンネル及び機能を容易に判別することができ、正確にスピーカーを接続することができる。
【００９８】
以上、本発明の好ましい実施形態を説明したが、本発明はこれらの実施形態には限定されない。左上側音声信号及び右上側音声信号の代わりに、左中央側音声信号（左音声信号と中央音声信号との間の信号）及び右中央側音声信号（右音声信号と中央音声信号との間の信号）が適用されてもよい。ＡＶアンプの上記動作をコンピュータに実行させるためのプログラムおよびこれを記録した記録媒体という形態で提供されてもよい。
【産業上の利用可能性】
【００９９】
本発明は、ＡＶアンプ等に好適に採用され得る。
【図面の簡単な説明】
【０１００】
【図１】ＡＶアンプ１及びスピーカーの配置を示す図である。
【図２】音声再生システムを示す図である。
【図３】音声信号のチャンネルを示す図である。
【図４】音声処理部５を示す図である。
【図５】制御部２の処理を示すフローチャートである。
【図６】音声処理部５Ｂを示す図である。
【図７】制御部２の処理を示すフローチャートである。
【図８】音声処理部５Ｃを示す図である。
【図９】音声処理部５Ｄを示す図である。
【図１０】ＳＰ端子画像を示すである。
【図１１】制御部２の処理を示すフローチャートである。
【図１２】制御部２の処理を示すフローチャートである。
【符号の説明】
【０１０１】
１            ＡＶアンプ
２            制御部
５            音声処理部
７            表示部
１１            プリアウト部
１２            パワーアンプ
１３            ＳＰリレー
１４            ＳＰ端子
【図１】
2010183203.tif 000003
【図２】
2010183203.tif 000004
【図３】
2010183203.tif 000005
【図４】
2010183203.tif 000006
【図５】
2010183203.tif 000007
【図６】
2010183203.tif 000008
【図７】
2010183203.tif 000009
【図８】
2010183203.tif 000010
【図９】
2010183203.tif 000011
【図１０】
2010183203.tif 000012
【図１１】
2010183203.tif 000013
【図１２】
2010183203.tif 000014
【手続補正書】
【提出日】平成22年1月19日(2010.1.19)
【手続補正１】
【補正対象書類名】特許請求の範囲
【補正対象項目名】全文
【補正方法】変更
【補正の内容】
【特許請求の範囲】
【請求項１】
左外側音声信号又は左上側音声信号を増幅する第１増幅手段と、
右外側音声信号又は右上側音声信号を増幅する第２増幅手段と、
左外側音声信号を出力する第１スピーカー端子と、
右外側音声信号を出力する第２スピーカー端子と、
左上側音声信号を出力する第３スピーカー端子と、
右上側音声信号を出力する第４スピーカー端子と、
マルチチャンネル音声データに、左外側音声信号と右外側音声信号との組合せ、又は、左上側音声信号と右上側音声信号との組合せのどちらが含まれているかを判断するチャンネル判断手段と、
左外側音声信号と右外側音声信号との組合せが含まれていると判断された場合、前記第１増幅手段に、左外側音声信号を増幅させ前記第１スピーカー端子に供給させ、かつ、前記第２増幅手段に、右外側音声信号を増幅させ前記第２スピーカー端子に供給させ、左上側音声信号と右上側音声信号との組合せが含まれていると判断された場合、前記第１増幅手段に、左上側音声信号を増幅させ前記第３スピーカー端子に供給させ、かつ、前記第２増幅手段に、右上側音声信号を増幅させ前記第４スピーカー端子に供給させる切換手段とを備える、音声処理装置。
【請求項２】
サラウンド後方左音声信号を出力する第５スピーカー端子と、
サラウンド後方右音声信号を出力する第６スピーカー端子とをさらに備え、
前記チャンネル判断手段が、マルチチャンネル音声データに、左外側音声信号と右外側音声信号との組合せ、左上側音声信号と右上側音声信号との組合せ、又は、サラウンド後方左音声信号とサラウンド後方右音声信号との組合せのいずれが含まれているかを判断し、
前記切換手段が、左外側音声信号と右外側音声信号との組合せが含まれていると判断された場合、前記第１増幅手段に、左外側音声信号を増幅させ前記第１スピーカー端子に供給させ、かつ、前記第２増幅手段に、右外側音声信号を増幅させ前記第２スピーカー端子に供給させ、左上側音声信号と右上側音声信号との組合せが含まれていると判断された場合、前記第１増幅手段に、左上側音声信号を増幅させ前記第３スピーカー端子に供給させ、かつ、前記第２増幅手段に、右上側音声信号を増幅させ前記第４スピーカー端子に供給させ、サラウンド後方左音声信号とサラウンド後方右音声信号との組合せが含まれていると判断された場合、前記第１増幅手段に、サラウンド後方左音声信号を増幅させ前記第５スピーカー端子に供給させ、かつ、前記第２増幅手段に、サラウンド後方右音声信号を増幅させ前記第６スピーカー端子に供給させる、請求項１に記載の音声処理装置。
【請求項３】
左外側音声信号、左上側音声信号、サラウンド後方左音声信号および左中央側音声信号のいずれかである第１左音声信号、又は、左外側音声信号、左上側音声信号、サラウンド後方左音声信号および左中央側音声信号のいずれかであり、前記第１左音声信号とは異なる第２左音声信号を増幅する第１増幅手段と、
右外側音声信号、右上側音声信号、サラウンド後方右音声信号および右中央側音声信号のいずれかである第１右音声信号、又は、右外側音声信号、右上側音声信号、サラウンド後方右音声信号および右中央側音声信号のいずれかであり、前記第１右音声信号とは異なる第２右音声信号を増幅する第２増幅手段と、
第１左音声信号を出力する第１スピーカー端子と、
第１右音声信号を出力する第２スピーカー端子と、
第２左音声信号を出力する第３スピーカー端子と、
第２右音声信号を出力する第４スピーカー端子と、
マルチチャンネル音声データに、第１左音声信号と第１右音声信号との組合せ、又は、第２左音声信号と第２右音声信号との組合せのどちらが含まれているかを判断するチャンネル判断手段と、
第１左音声信号と第１右音声信号との組合せが含まれていると判断された場合、前記第１増幅手段に、第１左音声信号を増幅させ前記第１スピーカー端子に供給させ、かつ、前記第２増幅手段に、第１右音声信号を増幅させ前記第２スピーカー端子に供給させ、第２左音声信号と第２右音声信号との組合せが含まれていると判断された場合、前記第１増幅手段に、第２左音声信号を増幅させ前記第３スピーカー端子に供給させ、かつ、前記第２増幅手段に、第２右音声信号を増幅させ前記第４スピーカー端子に供給させる切換手段とを備える、音声処理装置。
【請求項４】
左外側音声信号又はサラウンド後方左音声信号を増幅する第１増幅手段と、
右外側音声信号又はサラウンド後方右音声信号を増幅する第２増幅手段と、
左外側音声信号を出力する第１スピーカー端子と、
右外側音声信号を出力する第２スピーカー端子と、
サラウンド後方左音声信号を出力する第３スピーカー端子と、
サラウンド後方右音声信号を出力する第４スピーカー端子と、
マルチチャンネル音声データに、左外側音声信号と右外側音声信号との組合せ、又は、サラウンド後方左音声信号とサラウンド後方右音声信号との組合せのどちらが含まれているかを判断するチャンネル判断手段と、
左外側音声信号と右外側音声信号との組合せが含まれていると判断された場合、前記第１増幅手段に、左外側音声信号を増幅させ前記第１スピーカー端子に供給させ、かつ、前記第２増幅手段に、右外側音声信号を増幅させ前記第２スピーカー端子に供給させ、サラウンド後方左音声信号とサラウンド後方右音声信号との組合せが含まれていると判断された場合、前記第１増幅手段に、サラウンド後方左音声信号を増幅させ前記第３スピーカー端子に供給させ、かつ、前記第２増幅手段に、サラウンド後方右音声信号を増幅させ前記第４スピーカー端子に供給させる切換手段とを備える、音声処理装置。
【請求項５】
サラウンド後方左音声信号又は左上側音声信号を増幅する第１増幅手段と、
サラウンド後方右音声信号又は右上側音声信号を増幅する第２増幅手段と、
サラウンド後方左音声信号を出力する第１スピーカー端子と、
サラウンド後方右音声信号を出力する第２スピーカー端子と、
左上側音声信号を出力する第３スピーカー端子と、
右上側音声信号を出力する第４スピーカー端子と、
マルチチャンネル音声データに、サラウンド後方左音声信号とサラウンド後方右音声信号との組合せ、又は、左上側音声信号と右上側音声信号との組合せのどちらが含まれているかを判断するチャンネル判断手段と、
サラウンド後方左音声信号とサラウンド後方右音声信号との組合せが含まれていると判断された場合、前記第１増幅手段に、サラウンド後方左音声信号を増幅させ前記第１スピーカー端子に供給させ、かつ、前記第２増幅手段に、サラウンド後方右音声信号を増幅させ前記第２スピーカー端子に供給させ、左上側音声信号と右上側音声信号との組合せが含まれていると判断された場合、前記第１増幅手段に、左上側音声信号を増幅させ前記第３スピーカー端子に供給させ、かつ、前記第２増幅手段に、右上側音声信号を増幅させ前記第４スピーカー端子に供給させる切換手段とを備える、音声処理装置。
【請求項６】
左外側音声信号又は左中央側音声信号を増幅する第１増幅手段と、
右外側音声信号又は右中央側音声信号を増幅する第２増幅手段と、
左外側音声信号を出力する第１スピーカー端子と、
右外側音声信号を出力する第２スピーカー端子と、
左中央側音声信号を出力する第３スピーカー端子と、
右中央側音声信号を出力する第４スピーカー端子と、
マルチチャンネル音声データに、左外側音声信号と右外側音声信号との組合せ、又は、左中央側音声信号と右中央側音声信号との組合せのどちらが含まれているかを判断するチャンネル判断手段と、
左外側音声信号と右外側音声信号との組合せが含まれていると判断された場合、前記第１増幅手段に、左外側音声信号を増幅させ前記第１スピーカー端子に供給させ、かつ、前記第２増幅手段に、右外側音声信号を増幅させ前記第２スピーカー端子に供給させ、左中央側音声信号と右中央側音声信号との組合せが含まれていると判断された場合、前記第１増幅手段に、左中央側音声信号を増幅させ前記第３スピーカー端子に供給させ、かつ、前記第２増幅手段に、右中央側音声信号を増幅させ前記第４スピーカー端子に供給させる切換手段とを備える、音声処理装置。

【手続補正２】
【補正対象書類名】明細書
【補正対象項目名】００１０
【補正方法】変更
【補正の内容】
【００１０】
本発明の別の好ましい実施形態による音声処理装置は、左外側音声信号、左上側音声信号、サラウンド後方左音声信号および左中央側音声信号のいずれかである第１左音声信号、又は、左外側音声信号、左上側音声信号、サラウンド後方左音声信号および左中央側音声信号のいずれかであり、前記第１左音声信号とは異なる第２左音声信号を増幅する第１増幅手段と、右外側音声信号、右上側音声信号、サラウンド後方右音声信号および右中央側音声信号のいずれかである第１右音声信号、又は、右外側音声信号、右上側音声信号、サラウンド後方右音声信号および右中央側音声信号のいずれかであり、前記第１右音声信号とは異なる第２右音声信号を増幅する第２増幅手段と、第１左音声信号を出力する第１スピーカー端子と、第１右音声信号を出力する第２スピーカー端子と、第２左音声信号を出力する第３スピーカー端子と、第２右音声信号を出力する第４スピーカー端子と、マルチチャンネル音声データに、第１左音声信号と第１右音声信号との組合せ、又は、第２左音声信号と第２右音声信号との組合せのどちらが含まれているかを判断するチャンネル判断手段と、第１左音声信号と第１右音声信号との組合せが含まれていると判断された場合、前記第１増幅手段に、第１左音声信号を増幅させ前記第１スピーカー端子に供給させ、かつ、前記第２増幅手段に、第１右音声信号を増幅させ前記第２スピーカー端子に供給させ、第２左音声信号と第２右音声信号との組合せが含まれていると判断された場合、前記第１増幅手段に、第２左音声信号を増幅させ前記第３スピーカー端子に供給させ、かつ、前記第２増幅手段に、第２右音声信号を増幅させ前記第４スピーカー端子に供給させる切換手段とを備える。
本発明の別の好ましい実施形態による音声処理装置は、左外側音声信号又はサラウンド後方左音声信号を増幅する第１増幅手段と、右外側音声信号又はサラウンド後方右音声信号を増幅する第２増幅手段と、左外側音声信号を出力する第１スピーカー端子と、右外側音声信号を出力する第２スピーカー端子と、サラウンド後方左音声信号を出力する第３スピーカー端子と、サラウンド後方右音声信号を出力する第４スピーカー端子と、マルチチャンネル音声データに、左外側音声信号と右外側音声信号との組合せ、又は、サラウンド後方左音声信号とサラウンド後方右音声信号との組合せのどちらが含まれているかを判断するチャンネル判断手段と、左外側音声信号と右外側音声信号との組合せが含まれていると判断された場合、前記第１増幅手段に、左外側音声信号を増幅させ前記第１スピーカー端子に供給させ、かつ、前記第２増幅手段に、右外側音声信号を増幅させ前記第２スピーカー端子に供給させ、サラウンド後方左音声信号とサラウンド後方右音声信号との組合せが含まれていると判断された場合、前記第１増幅手段に、サラウンド後方左音声信号を増幅させ前記第３スピーカー端子に供給させ、かつ、前記第２増幅手段に、サラウンド後方右音声信号を増幅させ前記第４スピーカー端子に供給させる切換手段とを備える。
本発明の別の好ましい実施形態による音声処理装置は、サラウンド後方左音声信号又は左上側音声信号を増幅する第１増幅手段と、サラウンド後方右音声信号又は右上側音声信号を増幅する第２増幅手段と、サラウンド後方左音声信号を出力する第１スピーカー端子と、サラウンド後方右音声信号を出力する第２スピーカー端子と、左上側音声信号を出力する第３スピーカー端子と、右上側音声信号を出力する第４スピーカー端子と、マルチチャンネル音声データに、サラウンド後方左音声信号とサラウンド後方右音声信号との組合せ、又は、左上側音声信号と右上側音声信号との組合せのどちらが含まれているかを判断するチャンネル判断手段と、サラウンド後方左音声信号とサラウンド後方右音声信号との組合せが含まれていると判断された場合、前記第１増幅手段に、サラウンド後方左音声信号を増幅させ前記第１スピーカー端子に供給させ、かつ、前記第２増幅手段に、サラウンド後方右音声信号を増幅させ前記第２スピーカー端子に供給させ、左上側音声信号と右上側音声信号との組合せが含まれていると判断された場合、前記第１増幅手段に、左上側音声信号を増幅させ前記第３スピーカー端子に供給させ、かつ、前記第２増幅手段に、右上側音声信号を増幅させ前記第４スピーカー端子に供給させる切換手段とを備える。
本発明の別の好ましい実施形態による音声処理装置は、左外側音声信号又は左中央側音声信号を増幅する第１増幅手段と、右外側音声信号又は右中央側音声信号を増幅する第２増幅手段と、左外側音声信号を出力する第１スピーカー端子と、右外側音声信号を出力する第２スピーカー端子と、左中央側音声信号を出力する第３スピーカー端子と、右中央側音声信号を出力する第４スピーカー端子と、マルチチャンネル音声データに、左外側音声信号と右外側音声信号との組合せ、又は、左中央側音声信号と右中央側音声信号との組合せのどちらが含まれているかを判断するチャンネル判断手段と、左外側音声信号と右外側音声信号との組合せが含まれていると判断された場合、前記第１増幅手段に、左外側音声信号を増幅させ前記第１スピーカー端子に供給させ、かつ、前記第２増幅手段に、右外側音声信号を増幅させ前記第２スピーカー端子に供給させ、左中央側音声信号と右中央側音声信号との組合せが含まれていると判断された場合、前記第１増幅手段に、左中央側音声信号を増幅させ前記第３スピーカー端子に供給させ、かつ、前記第２増幅手段に、右中央側音声信号を増幅させ前記第４スピーカー端子に供給させる切換手段とを備える。